(57)【要約】【課題】リアスクリーンでありながら音響を通過させることができる映写用スクリーンを提供することを課題とする。【解決手段】投影装置によって裏側から照射される映像を表側に投影するリア投影方式の映写用スクリーン１０であって、断面形状が略円形かつ半透明もしくは透明の繊維を織るまたは編んだシート状のスクリーン生地１１，１２，１３を層状に重ねてある。スクリーン生地１１，１２，１３は例えば平織りした織物であり、経糸の方向および緯糸の方向にずらして重ねられている。【選択図】図２
2019074618.tif 000002
【特許請求の範囲】
【請求項１】
投影装置によって裏側から照射される映像を表側に投影するリア投影方式の映写用スクリーンであって、
断面形状が略円形かつ半透明もしくは透明の繊維を織るまたは編んだシート状のスクリーン生地を層状に重ねてある、ことを特徴とする映写用スクリーン。
【請求項２】
前記スクリーン生地は、前記繊維を平織りした織物である、ことを特徴とする請求項１に記載の映写用スクリーン。
【請求項３】
前記スクリーン生地は、経糸の方向および緯糸の方向にずらして重ねられている、ことを特徴とする請求項２に記載の映写用スクリーン。
【請求項４】
複数の前記スクリーン生地は、互いを縫合してある、ことを特徴とする請求項１ないし請求項３の何れか一項に記載の映写用スクリーン。
【発明の詳細な説明】
【技術分野】
【０００１】
本発明は、照射された映像を映し出す映写用スクリーンに関する。
【背景技術】
【０００２】
プロジェクタを用いてスクリーンに映像を表示する方法として、スクリーンの表側から映像を照射する方式（フロント投影方式）とスクリーンの裏側から映像を照射する方式（リア投影方式）とが存在する。一般的に、フロント投影方式で使用されるスクリーンは「フロントスクリーン」と呼ばれ（特許文献１参照）、リア投影方式で使用されるスクリーンは「リアスクリーン」と呼ばれる（特許文献２参照）。そして、フロント投影方式では、観客がスクリーン正面に近づいた場合に観客自身がプロジェクタから照射される光を遮ってしまうため、プロジェクタとスクリーンとの装置関係に制約がある。一方、リア投影方式では、観客がスクリーン正面に近づいたとしてもプロジェクタから照射される光を遮ることがないので、スクリーン正面に近づくことが可能である。
【０００３】
また、フロント投影方式における技術として、音響透過用の孔を設けることで、スピーカから出力される音の透過率を高めた音響透過型のフロントスクリーンが開発されている（特許文献３参照）。特許文献３に記載されるフロント投影方式の音響映像システムの概略を図８Ａに示す。この音響映像システム８００は、フロントスクリーン８０１と、フロントスクリーン８０１の前方に配置されるプロジェクタ８０２と、フロントスクリーン８０１の後方に配置されるスピーカ８０３とで構成されている。観視者８０４は、フロントスクリーン８０１に形成される音響透過用の孔を通じてスピーカ８０３から出る音を聞くことができる。
【先行技術文献】
【特許文献】
【０００４】
【特許文献１】特開平５−０４５７３３号公報
【特許文献２】特開２００１−３０５６６１号公報
【特許文献３】特開２０１６−１１４７０１号公報
【発明の概要】
【発明が解決しようとする課題】
【０００５】
しかしながら、音響透過型のリアスクリーンは未だに開発されていない。想定される音響透過型かつリア投影方式の音響映像システムの概略を図８Ｂに示す。この音響映像システム９００は、リアスクリーン９０１と、リアスクリーン９０１の後方に配置されるプロジェクタ９０２（ここでは二つ表示しているが一つでもよい）およびスピーカ９０３とで構成される。したがって、リアスクリーン９０１において、特許文献３と同様に音響透過用の孔を設けた場合、プロジェクタ９０２から照射される光が音響透過用の孔を通過してリアスクリーン９０１の表側に居る観視者９０４に直接到達してしまう。そのため、リアスクリーン９０１に音響透過用の孔を単純に設けることができなかった。
【０００６】
本発明はかかる点に鑑みてなされたものであって、リアスクリーンでありながら音響を通過させることができる映写用スクリーンを提供することを課題とする。
【課題を解決するための手段】
【０００７】
前記課題を解決するために本発明による映写用スクリーンは、投影装置によって裏側から照射される映像を表側に投影するリア投影方式の映写用スクリーンであって、断面形状が略円形かつ半透明もしくは透明の繊維を織るまたは編んだシート状のスクリーン生地を層状に重ねてある構成とする。
【０００８】
このような構成を備える映写用スクリーンは、繊維の表面形状および屈折率により繊維を透過した光を表側に拡散して出力する。また、織り物や編み物の性質上、各々のスクリーン生地には微細な隙間が規則正しく形成され、この隙間がスピーカから出力される音を伝搬する音響透過用の孔の役割を担う。
一方、この隙間は、スクリーン生地が１枚であれば投影装置から照射される光を拡散することなく表側に透過する欠陥になるが、本発明では、スクリーン生地を層状に重ねてあるので、投影装置から照射される光を拡散することなく表側に透過する確率を低くすることができる。この確率は、スクリーン生地を重ねる枚数を増やすことでさらに低くすることができる。なお、音響透過用の孔は断面形状が円形の繊維を織るまたは編むことで形成されているので、スクリーン生地の表面には織物の構造や編み物の構造に基づく凹凸が形成される。そのため、スクリーン生地を重ねても音響透過用の孔が完全に閉鎖されることはなく、スピーカから出力される音は問題なく伝搬する。
【発明の効果】
【０００９】
本発明によれば、光を拡散する機能と音を伝搬する機能を備えるので、リアスクリーンでありながら音響を通過させることができる。
【図面の簡単な説明】
【００１０】
【図１】本発明の実施形態に係る映写用スクリーンを用いた音響映像システムの全体構成を説明するための図である。
【図２】スクリーン装置の正面図である。映写用スクリーンは一部をめくった状態で示している。
【図３】スクリーン生地の拡大正面図である。
【図４】スクリーン生地の断面を示した模式図である。
【図５】スクリーン生地を重ねた状態を示した模式図である。
【図６】重ねたスクリーン生地の断面を示した模式図である。
【図７】重ねたスクリーン生地の断面を示した模式図である。
【図８Ａ】従来のフロント投影方式の音響映像システムを示す概略図である。
【図８Ｂ】従来の問題点を説明するための図であり、リア投影方式の音響映像システムを示す概略図である。
【図９】変形例に係る映写用スクリーンを示した模式図である。映写用スクリーンは一部をめくった状態で示している。
【発明を実施するための形態】
【００１１】
以下、本発明の実施形態を、適宜図面を参照しながら詳細に説明する。各図は、本発明を十分に理解できる程度に、概略的に示してあるに過ぎない。よって、本発明は、図示例のみに限定されるものではない。また、参照する図面における寸法は、説明を明確にするために誇張して表現されている場合がある。なお、各図において、共通する構成要素や同様な構成要素については、同一の符号を付し、それらの重複する説明を省略する。
【００１２】
≪実施形態に係る映写用スクリーンを用いた音響映像システムの構成≫
図１を参照して、本実施形態に係る映写用スクリーンを用いた音響映像システムの構成を説明する。音響映像システムＳは、リア投影方式のものであり、スクリーン装置１と、スクリーン装置１から一定の距離をおいた後方に配置されるプロジェクタ２およびスピーカ３とを備えて構成されている。
【００１３】
プロジェクタ２は、映像をスクリーン装置１に投影する装置（投影装置）である。音響映像システムＳはリア投影方式のために、プロジェクタ２はスクリーン装置１の裏側から光２ａを照射する。ここでは、一台のプロジェクタ２がスクリーン装置１の後方上部に配置されているが、プロジェクタ２を設置する位置や数は特に限定されるものではない。例えば、複数台のプロジェクタ２を複数箇所に配置し、複数箇所から分割した映像をスクリーン装置１に投影してもよい。
【００１４】
スピーカ３は、音を発生させる装置である。スピーカ３から発生した音３ａは、スクリーン装置１を通過して、スクリーン装置１の前方にいる観視者（図示せず）に到達する。スピーカ３は、プロジェクタ２から照射される光２ａを遮らない位置に設置されていればよく、数や形状は特に限定されるものではない。
【００１５】
スクリーン装置１は、プロジェクタ２から照射された光２ａを映像として映し出すものである。スクリーン装置１は、映像が投影される映写用スクリーン１０と、映写用スクリーン１０を張った状態で保持する枠部２０とを備えている。ここでの枠部２０は、図２に示すように、映写用スクリーン１０の周縁を取り囲む矩形状を呈しており、例えば映写用スクリーン１０を両面から挟み込む保持手段（図示せず）を用いて映写用スクリーン１０の周縁部を保持している。枠部２０は、例えばその一部が部屋の天井、壁、床などに固定される。なお、枠部２０の形状や映写用スクリーン１０を保持する保持手段は、特に限定されない。
【００１６】
映写用スクリーン１０は、プロジェクタ２によって後方から照射される光を前方へ拡散させるものである。ここでの映写用スクリーン１０は、図２に示すように、例えばシート状を呈する３枚のスクリーン生地１１，１２，１３を層状に重ね合わせてできている。スクリーン生地１１，１２，１３は、周縁部を枠部２０によって保持されることで張った状態を維持している。また、スクリーン生地１１，１２，１３は、接触または接近した状態で互いを縫合してある。これにより、スクリーン生地１１，１２，１３同士の間隔が変わったり、スクリーン生地１１，１２，１３が緩むのを防止している。この縫合による縫い目を点線で現わし、符号１０ａで示す。なお、ここで説明するスクリーン生地の数や縫い目の位置は模式的に示すものであって、特に限定されるものではない。
【００１７】
スクリーン生地１１，１２，１３は、メッシュ構造（網の目構造）を呈するものであり、音響透過用の孔が形成されている。ここでのスクリーン生地１１，１２，１３は同じ構造になっているので、スクリーン生地１１について詳細な構成を説明し、スクリーン生地１２，１３については説明を省略する。
【００１８】
図３に示すように、スクリーン生地１１は、糸状の繊維１１ｆを平織りしたものである。繊維１１ｆは、表面の形状や屈折率の差により透過する光を拡散するものであればよく、例えば断面形状が略円形（円形や楕円形を含む）のものや、半透明または透明のものである。ここでの繊維１１ｆは、一例として、断面形状が円形のナイロン製である。
以下では、縦方向（上下方向）の繊維１１ｆと横方向（左右方向）の繊維１１ｆとを区別して説明する場合に、縦方向に延在するものを「経糸１１ｆａ」と称し、横方向に延在するものを「緯糸１１ｆｂ」と称する。経糸１１ｆａと緯糸１１ｆｂとの間には、正面から見て矩形状の隙間１１ｃが形成されており、この隙間１１ｃが音響透過用の孔の役割を担う。矩形状とは、正方形、長方形、菱形、平行四辺形、台形等をいう。
【００１９】
なお、ここではスクリーン生地１１が平織りされている場合を想定して説明するが、スクリーン生地１１は経糸１１ｆａおよび緯糸１１ｂを所定間隔で配置するものであればよく、他の方法で繊維１１ｆを織った織り物や繊維１１ｆを編んだ編み物であってもよい。ここで、経糸１１ｆａが配置される間隔と緯糸１１ｆｂが配置される間隔とは同じでなくてもよい。また、経糸１１ｆａと緯糸１１ｆｂとは、材料や寸法（特に、太さ）が異なっていてもよい。また、経糸１１ｆａおよび緯糸１１ｆｂと隙間１１ｃとの大きさの関係は特に限定されないが、経糸１１ｆａおよび緯糸１１ｆｂに対して隙間１１ｃが大きくなるにつれて、スクリーン生地を重ねる枚数が増えることになる。詳細は後述する。
【００２０】
スクリーン生地１１の断面を示した模式図を図４に示す。緯糸１１ｆｂは断面形状が円形であるので、プロジェクタ２（図１参照）から照射された光２ａは緯糸１１ｆｂを透過することにより主に上下方向に拡散される。図示は省略するが、同様の理由により、プロジェクタ２から照射された光２ａは経糸１１ｆａを透過することにより主に左右方向に拡散される。一方、経糸１１ｆａおよび緯糸１１ｆｂを透過しない光２ａ（つまり、繊維１１ｆの隙間１１ｃを通過した光２ａ）は、拡散されずに直進する。プロジェクタ２（図１参照）から照射された光２ａを映写用スクリーン１０（図１参照）上で映像として表示するためには、映写用スクリーン１０によって光２ａが適度に拡散される必要がある。そのため、繊維１１ｆの隙間１１ｃを通過することで拡散されない光２ａは少ないことが好ましい。
【００２１】
本実施形態では、図５に示すように、スクリーン生地１１，１２，１３を前後方向に重ねている。また、スクリーン生地１１の経糸１１ｆａとスクリーン生地１２の経糸１２ｆａとスクリーン生地１３の経糸１３ｆａとは、正面から見て完全に重ならないように左右方向にずらして配置されている。さらに、スクリーン生地１１の緯糸１１ｆｂとスクリーン生地１２の緯糸１２ｆｂとスクリーン生地１３の緯糸１３ｆｂとは、正面から見て完全に重ならないように上下方向にずらして配置されている。つまり、ここでは、重ねられているスクリーン生地１１，１２，１３を上下左右方向にずらすことにより、スクリーン生地１１，１２，１３に形成される隙間１１ｃ，１２ｃ，１３ｃ（図７参照）が映写用スクリーン１０の厚さ方向（ここでは前後方向）に一直線に並ばない（連通しない）ように配置されている。なお、経糸１１ｆａ，１２ｆａ，１３ｆａおよび緯糸１１ｆｂ，１２ｆｂ，１３ｆｂの何れか一方のみをずらして配置してもよい。
【００２２】
経糸１１ｆａ，１２ｆａ，１３ｆａや緯糸１１ｆｂ，１２ｆｂ，１３ｆｂをずらす量は、拡散されない光２ａがなくなるように設定されるのがよい。ここでは、図６に示すように、スクリーン生地１１の緯糸１１ｆｂに対してスクリーン生地１２の緯糸１２ｆｂを距離Ｈだけ下側にずらして配置し、さらに、スクリーン生地１２の緯糸１２ｆｂに対してスクリーン生地１３の緯糸１３ｆｂを距離Ｈだけ下側にずらして配置している。距離Ｈは、例えば緯糸１１ｆｂ，１２ｆｂ，１３ｆｂの直径Ｄよりも小さく、半径ｄよりも大きい値である（直径Ｄ＞距離Ｈ＞半径ｄ）。また、図示を省略するが、経糸１１ｆａ，１２ｆａ，１３ｆａについても緯糸１１ｆｂ，１２ｆｂ，１３ｆｂと同様である。つまり、経糸１１ｆａに対して経糸１２ｆａを距離Ｈだけ右側にずらし、さらに経糸１２ｆａに対して経糸１３ｆａを距離Ｈだけ右側にずらしてある。
【００２３】
これにより、プロジェクタ２（図１参照）から照射された光２ａは、スクリーン生地１１，１２，１３の経糸１１ｆａ，１２ｆａ，１３ｆａおよび緯糸１１ｆｂ，１２ｆｂ，１３ｆｂを必ず透過する。そのため、映写用スクリーン１０は、映像として表示するのに適した範囲で、プロジェクタ２から照射された光２ａを適度に拡散することができる。
【００２４】
なお、スクリーン生地１１，１２，１３の繊維１１ｆ，１２ｆ，１３ｆ（図５参照）が細い場合など、経糸１１ｆａ，１２ｆａ，１３ｆａや緯糸１１ｆｂ，１２ｆｂ，１３ｆｂを設計通りにずらして配置することが難しいことも考えられる。その場合、スクリーン生地を正面から見た場合に繊維が占める面積の割合に基づいて、映写用スクリーン上で映像として表示するために必要なスクリーンの枚数を統計的に計算し、その枚数分だけスクリーン生地を重ねるようにしてもよい。
【００２５】
例えば、スクリーン生地を正面から見た場合に繊維が占める面積の割合をＭ（％）とし、重ねるスクリーン生地の枚数をＮ（枚）とした場合に、以下の式（１）が成立するスクリーン生地の最小枚数で映写用スクリーン１０を構成する。
（Ｍ×Ｎ）≧１００（％）  ・・・式（１）
これによれば、Ｍ≧５０（％）であれば、スクリーン生地を２枚重ねればよいことになる。
【００２６】
また、正面から見て各々のスクリーン生地の繊維が重なることを考慮し、繊維同士が重ならない期待値ｋNを重みづけしてもよい。この期待値ｋNは、例えば「０＜ｋN＜１」の範囲の値であり、期待値ｋNが大きい程に繊維同士が重ならず、期待値ｋNが小さい程に繊維同士が重なることを示す。この場合、以下の式（２）が成立するスクリーン生地の最小枚数で映写用スクリーン１０を構成する。なお、期待値ｋNは、例えば実験などによって決定される。
（Ｍ×Ｎ）×ｋN≧１００（％）  ・・・式（２）
【００２７】
一方、図７に示すように、スピーカ３（図１参照）から出力された音３ａは、スクリーン生地１１，１２，１３に形成される隙間１１ｃ，１２ｃ，１３ｃを通過して、映写用スクリーン１０の前方に居る観視者に到達する。つまり、プロジェクタ２（図１参照）から照射された光２ａは観視者の方向に直進して進むが、スピーカ３から出力された音３ａは空気を通って進むので、観視者の方向に対して斜め方向にも進むことができる。そのため、音３ａは、上下方向および左右方向にずれて配置された隙間１１ｃ，１２ｃ，１３ｃを斜めに進むことができる。
【００２８】
なお、本実施形態では、断面形状が円形の繊維１１ｆ，１２ｆ，１３ｆ（図５参照）を平織りしているので、スクリーン生地１１，１２，１３の表面には凹凸が形成される。そのため、仮に隙間１１ｃ，１２ｃ，１３ｃの正面に繊維１１ｆ，１２ｆ，１３ｆが位置したとしても、隙間１１ｃ，１２ｃ，１３ｃが完全に閉鎖されることはなく、スピーカ３から出力される音３ａは問題なく伝搬できる。
【００２９】
≪実施形態に係るスクリーン装置の製造方法≫
次に、図１ないし図７を参照して、スクリーン装置１の製造方法について説明する。スクリーン装置１の製造方法では、スクリーン生地準備工程と、重ね合わせ工程と、スクリーン取付工程とを主に行う。
【００３０】
スクリーン生地準備工程は、スクリーン生地１１，１２，１３を準備する工程である。ここでのスクリーン生地１１，１２，１３は、繊維１１ｆ，１２ｆ，１３ｆ（図５参照）を平織りしたものである。なお、スクリーン生地１１，１２，１３は、断面形状が略円形のかつ半透明もしくは透明の繊維１１ｆを織るまたは編んだものであればよく、スクリーン生地１１，１２，１３は材料および構造が異なるものであってもよい。スクリーン生地１１，１２，１３は、同じサイズに裁断されているのがよい。
【００３１】
重ね合わせ工程は、スクリーン生地１１，１２，１３を重ね合わせた状態で縫合する工程である。例えば、各々のスクリーン生地１１，１２，１３を張った状態で、経糸１１ｆａ，１２ｆａ，１３ｆａ同士が平行かつ正面から見て完全に重ならないようにずらして配置すると共に、緯糸１１ｆｂ，１２ｆｂ，１３ｆｂ同士が平行かつ正面から見て完全に重ならないようにずらして配置する。そして、重ね合わせた状態のスクリーン生地１１，１２，１３を縫合する。これにより、映写用スクリーン１０（図２参照）が完成する。なお、縫合を行う前に、重ねた状態のスクリーン生地１１，１２，１３に映像を投影し、映し出される映像が想定した通りであるかを確認してもよい。
【００３２】
スクリーン取付工程は、映写用スクリーン１０（重ねて一体となったスクリーン生地１１，１２，１３）を枠部２０（図２参照）に取り付ける工程である。例えば、映写用スクリーン１０を張った状態で周縁部を枠部２０に固定する。これにより、スクリーン装置１が完成する。
【００３３】
以上のように、実施形態に係る映写用スクリーン１０は、繊維１１ｆ，１２ｆ，１３ｆの表面形状および屈折率により繊維１１ｆ，１２ｆ，１３ｆを透過した光２ａを表側に拡散して出力する（図６参照）。また、織り物や編み物の性質上、各々のスクリーン生地１１，１２，１３には微細な隙間１１ｃ，１２ｃ，１３ｃが規則正しく形成され、この隙間１１ｃ，１２ｃ，１３ｃがスピーカ３から出力される音を伝搬する音響透過用の孔の役割を担う（図７参照）。
【００３４】
一方、この隙間１１ｃ，１２ｃ，１３ｃは、スクリーン生地が１枚であればプロジェクタ２から照射される光２ａを拡散することなく表側に透過する欠陥になるが、本実施形態にかかる映写用スクリーン１０では、スクリーン生地を層状に重ねてあるので、プロジェクタ２（図１参照）から照射される光２ａを拡散することなく表側に透過する確率を低くすることができる。この確率は、スクリーン生地を重ねる枚数を増やすことでさらに低くすることができる。なお、音響透過用の孔として機能する隙間１１ｃ，１２ｃ，１３ｃは断面形状が円形の繊維１１ｆ，１２ｆ，１３ｆを織ることで形成されているので、スクリーン生地１１，１２，１３の表面には織物の構造に基づく凹凸が形成される。そのため、スクリーン生地１１，１２，１３を重ねても隙間１１ｃ，１２ｃ，１３ｃが完全に閉鎖されることはなく、スピーカ３から出力される音は問題なく伝搬する。
【００３５】
また、実施形態に係る映写用スクリーン１０のスクリーン生地１１，１２，１３は、繊維１１ｆ，１２ｆ，１３ｆを平織りした織物であるので（図３参照）、経糸１１ｆａ，１２ｆａ，１３ｆａと、緯糸１１ｆｂ，１２ｆｂ，１３ｆｂとが等間隔で同じ数だけ配置される。ここで、繊維１１ｆ，１２ｆ，１３ｆは断面形状が円形であるので、経糸１１ｆａ，１２ｆａ，１３ｆａはプロジェクタ２から照射された光２ａを主に左右方向に拡散し、緯糸１１ｆｂ，１２ｆｂ，１３ｆｂは光２ａを主に上下方向に拡散する。そのため、プロジェクタ２から照射された光２ａを上下左右方向に満遍なく拡散することが可能である。
【００３６】
また、実施形態に係る映写用スクリーン１０は、スクリーン生地１１，１２，１３が経糸１１ｆａ，１２ｆａ，１３ｆａの方向および緯糸１１ｆｂ，１２ｆｂ，１３ｆｂの方向にずらして重ねられている。そのため、プロジェクタ２から照射された光２ａを効率よく拡散することが可能である。
【００３７】
また、実施形態に係る映写用スクリーン１０のスクリーン生地１１，１２，１３は互いを縫合してあるので、スクリーン生地１１，１２，１３同士の間隔が変わったり、スクリーン生地１１，１２，１３が緩んだりすることを防ぐことができる。そのため、投影された映像がぼやけるのを抑えることができる。
【００３８】
［変形例］
以上、本発明の実施形態について説明したが、本発明はこれに限定されるものではなく、その趣旨を変えない範囲で実施することができる。実施形態の変形例を以下に示す。
【００３９】
実施形態では、同じサイズに裁断したスクリーン生地１１，１２，１３を重ね合わせて映写用スクリーン１０を製造していた。しかしながら、映写用スクリーン１０の製造方法はこれに限定されない。例えば、映写用スクリーン１０は、長尺のスクリーン生地を折り畳んだものであってもよい。
【００４０】
また、実施形態では、平織りしたスクリーン生地１１，１２，１３の繊維１１ｆ，１２ｆ，１３ｆ（図５参照）が縦方向（上下方向）および横方向（左右方向）になると共に、繊維１１ｆ，１２ｆ，１３ｆ同士が正面から見て完全に重ならないようにずらして配置していた。しかしながら、スクリーン生地の重ね方はこれに限定されるものではない。例えば、繊維を縦方向（上下方向）および横方向（左右方向）に対して傾けるようにして、スクリーン生地を配置してもよい。繊維を縦方向（上下方向）および横方向（左右方向）に対して傾けるようにして配置した場合を図９に示す。
【００４１】
図９に示すように、変形例に係る映写用スクリーン１０Ａは、シート状を呈する４枚のスクリーン生地１１Ａ，１２Ａ，１３Ａ，１４Ａを層状に重ね合わせてできている。スクリーン生地１１Ａ，１２Ａ，１３Ａ，１４Ａは、断面形状が円形のナイロン製の繊維を平織りしたものである。スクリーン生地１１Ａ，１３Ａは、繊維が縦方向（上下方向）および横方向（左右方向）に対して平行に配置されており、一方、スクリーン生地１２Ａ，１４Ａは、繊維が縦方向（上下方向）および横方向（左右方向）に対して４５°だけ傾けて配置されている。なお、ここで説明するスクリーン生地の数、繊維の種類、繊維を傾ける角度は特に限定されるものではなく、適宜設定することができる。
【符号の説明】
【００４２】
１      スクリーン装置
２      プロジェクタ（投影装置）
３      スピーカ
１０，１０Ａ  映写用スクリーン
１０ａ  縫い目
１１，１２，１３，１１Ａ，１２Ａ，１３Ａ，１４Ａ  スクリーン生地
１１ｃ，１２ｃ，１３ｃ  隙間
１１ｆ，１２ｆ，１３ｆ  繊維
１１ｆａ，１２ｆａ，１３ｆａ  経糸
１１ｆｂ，１２ｆｂ，１３ｆｂ  緯糸
２０    枠部
Ｓ      音響映像システム
【図１】
2019074618.tif 000003
【図２】
2019074618.tif 000004
【図３】
2019074618.tif 000005
【図４】
2019074618.tif 000006
【図５】
2019074618.tif 000007
【図６】
2019074618.tif 000008
【図７】
2019074618.tif 000009
【図８Ａ】
2019074618.tif 000010
【図８Ｂ】
2019074618.tif 000011
【図９】
2019074618.tif 000012